(57)【要約】【課題】対象物を撮影した画像の処理に要する時間を短縮すること。【解決手段】画像検査装置１１は、対象物としての検査対象を撮像装置１２にて撮影した画像に基づいて検査対象を検査する。画像検査装置１１は画像取込部２１、画像処理部２３Ａ，２３Ｂ、メモリ２４Ａ，２４Ｂを有している。画像取込部２１は、撮像装置１２から画像を取り込み、検査対象に応じた検査画像を出力する。画像処理部２３Ａは、画像取込部２１から出力される検査画像を入力し、その入力した画像を第１の検査画像としてメモリ２４Ａに格納し、入力した画像を出力し、第１の検査画像に基づいて検査対象を検査する。画像処理部２３Ｂと、画像処理部２３Ａから出力される画像を入力し、その入力した画像を第２の検査画像としてメモリ２４Ｂに格納し、第２の検査画像に基づいて検査対象を検査する。【選択図】図３
2017151017.tif 000002
【特許請求の範囲】
【請求項１】
対象物を撮像装置にて撮影した画像に基づいて前記対象物を検査する画像検査装置であって、
前記撮像装置から前記画像を取り込み、前記対象物に応じた検査画像を出力する画像取込部と、
前記画像取込部から出力される前記検査画像を入力し、その入力した画像を第１の検査画像として第１の記憶部に格納し、前記入力した画像を出力し、前記第１の検査画像に基づいて前記対象物を検査する第１の処理部と、
前記第１の処理部から出力される画像を入力し、その入力した画像を第２の検査画像として第２の記憶部に格納し、前記第２の検査画像に基づいて前記対象物を検査する第２の処理部と、
を有することを特徴とする画像検査装置。
【請求項２】
前記画像取込部は、前記検査画像を含むデータを前記第１の処理部に送信し、
前記第１の処理部は、受信した前記データに含まれる前記検査画像を取り出した後に前記データを前記第２の処理部に転送し、前記データから取り出した前記検査画像を前記第１の記憶部に格納し、
前記第２の処理部は、受信した前記データに含まれる前記検査画像を取り出し、その取り出した前記検査画像を前記第２の記憶部に格納すること、
を特徴とする請求項１に記載の画像検査装置。
【請求項３】
前記画像取込部の温度を検出し、検出結果に基づいて、前記画像取込部の動作を制御する制御部を有すること、
を特徴とする請求項１又は２に記載の画像検査装置。
【請求項４】
前記第１の処理部、前記第２の処理部の温度を検出し、検出結果に基づいて、前記第１の処理部、前記第２の処理部の動作を制御する制御部を有すること、
を特徴とする請求項１〜３の何れか一項に記載の画像検査装置。
【請求項５】
前記第１の処理部、第２の処理部のそれぞれに対して配置された第１の冷却ファン、第２の冷却ファンの回転情報を検出し、検出結果に基づいて前記第１の処理部、前記第２の処理部の動作を制御する制御部を有すること、
を特徴とする請求項１〜４の何れか一項に記載の画像検査装置。
【請求項６】
前記画像取込部は、前記撮像装置から取り込んだ画像をシェーディング補正し、補正後の画像は前記第１の処理部と前記第２の処理部とに供給されること、
を特徴とする請求項１〜５の何れか一項に記載の画像検査装置。
【請求項７】
前記撮像装置は、前記対象物の搬送方向と直交する方向に配列された複数の撮像素子を含むラインカメラであり、
前記画像取込部は、前記撮像装置から取り込んだ前記検査画像に基づいて、前記対象物に光を照射する照明装置における光量を制御する制御信号を出力すること、
を特徴とする請求項１〜６の何れか一項に記載の画像検査装置。
【請求項８】
撮像装置から取り込んだ画像に対して画像処理を行う画像処理装置であって、
前記撮像装置から前記画像を取り込み、前記撮像装置が撮影した対象物に応じた対象画像を含むデータを送信する画像取込部と、
前記データを受信し、受信した前記データに含まれる前記対象画像を第１の記憶部に格納し、受信した前記データを転送し、前記第１の記憶部から前記対象画像を読み出し画像処理を行う第１の画像処理部と、
前記第１の画像処理部から転送された前記データを受信し、受信した前記データに含まれる前記対象画像を第２の記憶部に格納し、前記第２の記憶部から前記対象画像を読み出し、その画像に対して画像処理を行う、第２の画像処理部と、
を有することを特徴とする画像処理装置。
【発明の詳細な説明】
【技術分野】
【０００１】
本発明は、画像検査装置及び画像処理装置に関するものである。
【背景技術】
【０００２】
従来、被検査物の検出や検査するための装置が各種提案され、例えば画像処理装置が用いられている。例えば、欠陥の有無等を検査する検査装置は、撮像装置を用いて、シート（樹脂や紙等）などの平板状の被検査物を撮影した画像に基づいて被検査物を検査する（例えば、特許文献１参照）。
【先行技術文献】
【特許文献】
【０００３】
【特許文献１】特開２００２−２５１６０３号公報
【発明の概要】
【発明が解決しようとする課題】
【０００４】
ところで、上記のような検査装置では、画像の取り込みや、取り込んだ画像に対する各種の画像処理、等が必要である。そして、検査装置では、被検査物の判定に要する時間の短縮が望まれている。
【０００５】
本発明は上記問題点を解決するためになされたものであって、その目的は、対象物を撮影した画像の処理に要する時間の短縮を可能とした画像検査装置及び画像処理装置を提供することにある。
【課題を解決するための手段】
【０００６】
上記課題を解決する画像検査装置は、対象物を撮像装置にて撮影した画像に基づいて前記対象物を検査する画像検査装置であって、前記撮像装置から前記画像を取り込み、前記対象物に応じた検査画像を出力する画像取込部と、前記画像取込部から出力される前記検査画像を入力し、その入力した画像を第１の検査画像として第１の記憶部に格納し、前記入力した画像を出力し、前記第１の検査画像に基づいて前記対象物を検査する第１の処理部と、前記第１の処理部から出力される画像を入力し、その入力した画像を第２の検査画像として第２の記憶部に格納し、前記第２の検査画像に基づいて前記対象物を検査する第２の処理部とを有する。
【０００７】
この構成によれば、第１の処理部と第２の処理部とによって、画像取込部にて取り込んだ対象物の検査画像に基づいて、対象物の検査が行われるため、１つの処理部にて検査を行う場合と比べ、検査の処理に要する時間が短くなる。画像取込部が第１の処理部に対して出力する検査画像が、第１の処理部から第２の処理部へと転送される。このため、画像取込部が第１の処理部と第２の処理部のそれぞれに検査画像を出力する場合と比べ、画像取込部における処理が少なくなり、その分処理に要する時間が短くなる。
【０００８】
上記の画像検査装置において、前記画像取込部は、前記検査画像を含むデータを前記第１の処理部に送信し、前記第１の処理部は、受信した前記データに含まれる前記検査画像を取り出した後に前記データを前記第２の処理部に転送し、前記データから取り出した前記検査画像を前記第１の記憶部に格納し、前記第２の処理部は、受信した前記データに含まれる前記検査画像を取り出し、その取り出した前記検査画像を前記第２の記憶部に格納することが好ましい。
【０００９】
この構成によれば、画像取込部は検査画像を含むデータを第１の処理部に送信し、第１の処理部は受け取ったデータを転送する。このようなデータ転送方式を利用して検査画像を第１の処理部と第２の処理部とに容易に供給することができる。
【００１０】
上記の画像検査装置は、前記画像取込部の温度を検出し、検出結果に基づいて、前記画像取込部の動作を制御する制御部を有することが好ましい。
この構成によれば、検出した温度に応じて画像取込部の動作を制御する。例えば温度が上昇した場合に、画像取込部を停止させることで、画像取込部を保護することができる。
【００１１】
上記の画像検査装置は、前記第１の処理部、前記第２の処理部の温度を検出し、検出結果に基づいて、前記第１の処理部、前記第２の処理部の動作を制御する制御部を有することが好ましい。
【００１２】
この構成によれば、検出した温度に応じて第１の処理部、第２の処理部の動作を制御する。例えば温度が上昇した場合に、第１の処理部、第２の処理部を停止させることで、第１の処理部、第２の処理部を保護することができる。
【００１３】
上記の画像検査装置は、前記第１の処理部、第２の処理部のそれぞれに対して配置された第１の冷却ファン、第２の冷却ファンの回転情報を検出し、検出結果に基づいて前記第１の処理部、前記第２の処理部の動作を制御する制御部を有することが好ましい。
【００１４】
この構成によれば、検出した冷却ファンの回転情報に基づいて、第１の処理部、第２の処理部の動作を制御する。例えば冷却ファンに異常が発生した場合に、第１の処理部、第２の処理部を停止することで、第１の処理部、第２の処理部を保護することができる。
【００１５】
上記の画像検査装置において、前記画像取込部は、前記撮像装置から取り込んだ画像をシェーディング補正し、補正後の画像は前記第１の処理部と前記第２の処理部とに供給されることが好ましい。
【００１６】
この構成によれば、撮像装置の撮像素子の特性、レンズ収差、対象物に照射される光の状態等の影響により生じる輝度のばらつきを補正し、輝度むらを抑えることができる。
上記の画像検査装置において、前記撮像装置は、前記対象物の搬送方向と直交する方向に配列された複数の撮像素子を含むラインカメラであり、前記画像取込部は、前記撮像装置から取り込んだ前記検査画像に基づいて、前記対象物に光を照射する照明装置における光量を制御する制御信号を出力することが好ましい。
【００１７】
この構成によれば、画像取込部が取り込んだ検査画像に基づいて照明装置の光量を制御することで、検査画像に応じた光量に調整することが可能となる。また、照明装置の光量を制御する他の装置が不要となる。
【００１８】
上記課題を解決する画像処理装置は、撮像装置から取り込んだ画像に対して画像処理を行う画像処理装置であって、前記撮像装置から前記画像を取り込み、前記撮像装置が撮影した対象物に応じた対象画像を含むデータを送信する画像取込部と、前記データを受信し、受信した前記データに含まれる前記対象画像を第１の記憶部に格納し、受信した前記データを転送し、前記第１の記憶部から前記対象画像を読み出し画像処理を行う第１の画像処理部と、前記第１の画像処理部から転送された前記データを受信し、受信した前記データに含まれる前記対象画像を第２の記憶部に格納し、前記第２の記憶部から前記対象画像を読み出し、その画像に対して画像処理を行う、第２の画像処理部とを有する。
【００１９】
この構成によれば、第１の処理部と第２の処理部とによって、画像取込部にて取り込んだ対象画像に対する画像処理が行われるため、１つの処理部にて画像処理を行う場合と比べ、処理に要する時間が短くなる。画像取込部が第１の処理部に対して出力する対象画像が、第１の処理部から第２の処理部へと転送される。このため、画像取込部が第１の処理部と第２の処理部のそれぞれに対象画像を出力する場合と比べ、画像取込部における処理が少なくなり、その分処理に要する時間が短くなる。
【発明の効果】
【００２０】
本発明の画像検査装置及び画像処理装置によれば、対象物を撮影した画像の処理に要する時間の短縮することができる。
【図面の簡単な説明】
【００２１】
【図１】画像検査システムの概略構成を示す説明図。
【図２】画像検査システムの概略構成を示すブロック図。
【図３】画像検査装置の概略構成を示すブロック図。
【図４】画像取込部と画像処理部の間の検査画像の転送を示すブロック図。
【図５】制御部の動作を説明するためのブロック図。
【図６】（ａ）（ｂ）は画像処理の例を示す説明図。
【発明を実施するための形態】
【００２２】
以下、一実施形態を説明する。
図１に示すように、検査システムは、対象物として搬送される検査対象Ｓの欠陥を検査する。検査対象Ｓは、例えば生産ラインにおいて、矢印方向に連続的に搬送される印刷物や樹脂シート等である。
【００２３】
検査システムは、画像検査装置１１、撮像装置１２、照明装置１３、表示装置１４を有している。
照明装置１３は、搬送される検査対象Ｓに検査のための光を照射する。照明装置１３は、例えば検査対象Ｓの幅方向（検査対象Ｓの搬送方向と直交する方向）に沿って延びるライン照明（バータイプの照明器）と、そのライン照明を駆動する照明電源を含む。
【００２４】
撮像装置１２は、例えば、ラインカメラであり、画素数は例えば１６，０００画素である。撮像装置１２は、受光部が検査対象Ｓの幅方向（検査対象Ｓの搬送方向と直交する方向）に沿って配置されている。撮像装置１２は、照明装置１３から出射され検査対象Ｓの表面で反射された光を受け、検査対象Ｓの幅方向に１列（１ライン）分のライン画像（一次元画像）を生成し、そのライン画像を画像検査装置１１に出力する。
【００２５】
図２に示すように、画像検査装置１１は搬送装置１５に接続されている。搬送装置１５は、図１に示す検査対象Ｓを矢印方向に搬送する。搬送装置１５は、検査対象Ｓを搬送するためのモータと、そのモータの回転に応じたエンコーダ信号を生成するエンコーダを有している。エンコーダ信号は画像検査装置１１に出力される。
【００２６】
画像検査装置１１は、エンコーダ信号に基づいて、撮像装置１２から出力されるライン画像から、検査対象Ｓに応じた１フレームの二次元画像を生成する。１フレームの二次元画像は、検査対象Ｓに対する１回の検査に必要な画像を含む。例えば、印刷物の場合、１枚の画像（文字、絵を含む）が連続した用紙に繰り返し印刷される。このように、連続した用紙に繰り返し印刷される１枚の画像を撮影した二次元画像を１フレームの検査画像（対象画像）とする。
【００２７】
画像検査装置１１のメモリ１１ａには、検査対象Ｓに応じた判定基準が記憶されている。判定基準は、基準画像や判定のための基準値（面積、長さ、等）を含む。画像検査装置１１は、判定基準に基づいて検査画像を判定し、検査対象Ｓにおける欠陥等を検査する。例えば、画像検査装置１１は、検査画像を基準画像と比較し、検査画像における欠陥の有無を判定する、つまり検査対象Ｓにおける欠陥の有無を検査する。
【００２８】
画像検査装置１１は、検査項目に応じて、各種の画像処理を検査画像に対して施す。そして、画像検査装置１１は、検査結果と検査画像を出力する。表示装置１４は、検査結果と検査画像を表示する。また、画像検査装置１１は、メモリ１１ａに記憶した検査画像に基づいて、検査対象Ｓを所望の明るさにて照明するように照明装置１３を制御する。
【００２９】
表示装置１４は、コンピュータ（例えばパーソナルコンピュータ（ＰＣ））等の汎用的な目的で使用される計算機上で実行されるコンピュータプログラム（ツール）により実現される。実行されるコンピュータプログラムは、上記の検査結果を表示する表示ツールを含む。
【００３０】
また、画像検査装置１１は、検査支援装置１６に接続されている。検査支援装置１６は、コンピュータ（例えばパーソナルコンピュータ（ＰＣ））等の汎用的な目的で使用される計算機上で実行されるコンピュータプログラム（ツール）により実現される。実行されるコンピュータプログラムは、画像検査装置１１における各種の設定や検査処理の設定・編集を行うための編集ツールを含む。つまり、検査支援装置１６は、検査結果を表示する表示装置、各種の設定や検査処理の設定・編集を行うための装置として機能する。
【００３１】
各種のツールは、それぞれが独立したソフトウェア、または複数のツールが統合されたソフトウェアとして提供される。ソフトウェアは、例えば、カード型のメモリデバイス（メモリカード）等の各種の記録媒体や、ネットワークを介してダウンロードされるソフトウェアとして提供される。検査支援装置１６は、各種のツールソフトをそれぞれ実行する複数の計算機や、複数のツールソフトを実行する計算機として構成される。
【００３２】
図３に示すように、画像検査装置１１は、画像取込部２１、メモリ２２、処理部としての画像処理部２３Ａ，２３Ｂ、記憶部としてのメモリ２４Ａ，２４Ｂ、制御部２５、入出力部２６を有している。メモリ２２，２４Ａ，２４Ｂは、図１に示すメモリ１１ａに含まれる。
【００３３】
入出力部２６は、エンコーダ１７、照明装置１３に接続されている。エンコーダ１７は、図１に示す搬送装置１５に含まれる。エンコーダ１７から出力されるエンコーダ信号は、入出力部２６を介して画像取込部２１に供給される。
【００３４】
画像取込部２１は、撮像装置１２により検査対象Ｓを撮影した画像（一次元画像）を入力し、メモリ２２に格納する。画像取込部２１は、メモリ２２に格納した画像を時系列で並べることにより、画素を二次元配列した検査画像（対象画像）を生成する。
【００３５】
画像取込部２１は、設定に応じて、メモリ２２に格納した検査画像を補正する。
画像取込部２１は、補正処理としてたとえば伸縮補正を行う。撮像装置１２で撮像された一次元画像を並べた二次元画像は、搬送装置１５における搬送速度によって、画像の長さが変化する。画像取込部２１は、エンコーダ信号（例えばパルス間隔）に応じて、時系列で並べるライン画像（一次元画像）の配列間隔を補正し、判定基準（例えば基準画像）に応じた長さの二次元画像（検査画像）を得る。
【００３６】
また、画像取込部２１は、補正処理としてたとえばシェーディング補正を行う。撮像装置１２で撮像された画像には、撮像素子の特性、レンズ収差、照明装置１３による光の照射状態等の影響により、長手方向において輝度にばらつきが生じることがある。シェーディング補正を施すことにより、この輝度のばらつきを補正し、輝度むらを抑えることができる。
【００３７】
検査画像を画像取込部２１から画像処理部２３Ａ，２３Ｂへ供給する方法の一例を説明する。
図４に示すように、画像取込部２１は、インタフェース回路（「Ｉ／Ｆ」と表記）３１を有している。このインタフェース回路３１は、高速なシリアル通信を行う通信回路である。同様に、画像処理部２３Ａ，２３Ｂは、インタフェース回路３３Ａ，３３Ｂを有している。画像取込部２１のインタフェース回路３１は、画像処理部２３Ａのインタフェース回路３３Ａと、画像処理部２３Ｂのインタフェース回路３３Ｂとに接続されている。画像取込部２１は、インタフェース回路３１を介して画像処理部２３Ａに１フレームの検査画像を送信する（図４に示す矢印Ｐ１）。画像処理部２３Ａは、インタフェース回路３３Ａを介して１フレームの検査画像を受け取り、その検査画像をメモリ２４Ａに格納する。
【００３８】
画像取込部２１のインタフェース回路３１は、画像処理部２３Ａのインタフェース回路３３Ａと画像処理部２３Ｂのインタフェース回路３３Ｂとを互いに接続する機能を有している。インタフェース回路３３Ａは、受け取った検査画像を折り返し送信する。このインタフェース回路３３Ａから送信される検査画像は、画像取込部２１のインタフェース回路３１を介して画像処理部２３Ｂに供給される（図４に示す矢印Ｐ２）。画像処理部２３Ｂは、インタフェース回路３３Ｂを介して１フレームの検査画像を受け取り、その検査画像をメモリ２４Ｂに格納する。
【００３９】
上記の検査画像は、データ転送方式として例えばパケット転送方式を利用して画像処理部２３Ａ，２３Ｂへ供給される。詳述すると、各インタフェース回路３１，３３Ａ，３３Ｂは、データの要求、データの受け取り完了通知などを制御パケットにて行い、データの送受信をデータパケットにて行う。画像取込部２１のインタフェース回路３１は、検査画像を含むデータパケットを画像処理部２３Ａに送信する。画像処理部２３Ａは、受け取ったデータパケットから検査画像を取り出し、データパケットを転送する。そして、画像処理部２３Ａは、データパケットから取り出した検査画像をメモリ２４Ａに格納する。画像処理部２３Ｂは、画像処理部２３Ａから受け取ったデータパケットから検査画像を取り出し、メモリ２４Ｂに格納する。
【００４０】
例えば、検査画像（画像データ）のみを画像取込部２１から画像処理部２３Ａ，２３Ｂに供給する場合、画像取込部２１は、各画像処理部２３Ａ，２３Ｂやメモリ２４Ａ，２４Ｂの詳細なアドレスやオフセット等の情報を管理し、画像処理部２３Ａ，２３Ｂやメモリ２４Ａ，２４Ｂのそれぞれに対するデータ転送を制御することが必要となる。
【００４１】
一方、本実施形態では、パケット転送方式を利用しているため、１つの画像処理部の情報管理、転送制御のみで済むため、データ転送の効率化、簡素化が図れる。このため、画像取込部２１の処理負荷を軽減させることができ、その分、次のフレームの検査画像を取り込む処理や補正処理などを行うことができる。前述した検査画像（画像データ）のみを画像処理部等に供給するものでは、画像処理部において補正処理が行われることが多い。したがって、１フレームの検査画像の処理に要する時間の短縮を図ることが可能となる。言い換えれば、１フレームの検査画像の処理速度を速くすることができる。
【００４２】
画像処理部２３Ａは、メモリ２４Ａに格納した検査画像に対して、検査に必要とされる画像処理を実行するものである。画像処理部２３Ａは、例えばＤＳＰ（Digital Signal Processor）で構成される。検査は、例えば２値化やエッジ検出などである。メモリ２４Ａは、基準画像を記憶している。画像処理部２３Ａは、検査画像と基準画像とを比較し、検査画像における欠陥、つまり検査対象Ｓの欠陥を検出する。画像処理部２３Ａは、検査結果を出力する。検査結果は、例えば、検査画像と、その検査画像において検出した欠陥の位置を示す情報を含む。欠陥の位置は、例えば、検出した欠陥が含まれる領域の座標値（検査画像における縦方向の画素の位置と横方向の画素の位置）である。複数の欠陥を検出した場合、検査結果は、検出した欠陥の数、検出した各欠陥の位置を示す情報を含む。検査結果は、例えば画像取込部２１と入出力部２６を介して外部（図１に示す表示装置１４）に出力される。
【００４３】
同様に、画像処理部２３Ｂは、メモリ２４Ｂに格納した検査画像に対して、検査に必要とされる画像処理を実行するものである。画像処理部２３Ｂは、例えばＤＳＰ（Digital Signal Processor）で構成される。検査は、例えば２値化やエッジ検出などである。メモリ２４Ｂは、基準画像や判定条件（判定パラメータ）を記憶している。画像処理部２３Ｂは、検査画像を基準画像や判定条件と比較し、検査画像における欠陥、つまり検査対象Ｓの欠陥を検出する。画像処理部２３Ｂは、検査結果を出力する。検査結果は、例えば、検査画像と、その検査画像において検出した欠陥の位置を示す情報を含む。欠陥の位置は、例えば、検出した欠陥が含まれる領域の座標値（検査画像における縦方向の画素の位置と横方向の画素の位置）である。複数の欠陥を検出した場合、検査結果は、検出した欠陥の数、検出した各欠陥の位置を示す情報を含む。検査結果は、例えば画像取込部２１と入出力部２６を介して外部（図１に示す表示装置１４）に出力される。
【００４４】
制御部２５は、画像取込部２１、画像処理部２３Ａ，２３Ｂを制御する。例えば、制御部２５は、画像取込部２１、画像処理部２３Ａ，２３Ｂの動作開始、動作停止、リセット、処理に必要なパラメータの設定、等を行う。画像取込部２１に設定されるパラメータは、上記のシェーディング補正における補正値を含む。画像処理部２３Ａ，２３Ｂに設定されるパラメータは、検査処理（２値化、エッジ検出、等）に必要なパラメータ（しきい値等）、処理する領域に関するパラメータを含む。
【００４５】
図６（ａ）に示すように、画像処理部２３Ａ，２３Ｂは、検査対象Ｓの検査画像ＩＰ１を処理する。例えば、画像処理部２３Ａは、検査画像ＩＰ１に対して、設定されたパラメータに応じて２値化を行い、画像処理部２３Ｂは、検査画像ＩＰ１に対して、設定されたパラメータに応じてエッジ検出を行う。２値化とエッジ検出とで検出される欠陥が異なる場合がある。このように、２つの画像処理部２３Ａ，２３Ｂにおいて互いに異なる検査を行う、つまり検査画像に対して複数の検査処理を同時に行うことで、検査処理を順次行う場合と比べて処理に要する時間が短くなる。
【００４６】
図６（ｂ）に示すように、画像処理部２３Ａ，２３Ｂは、検査対象Ｓの検査画像ＩＰ１を処理する。画像処理部２３Ａは、設定されたパラメータに応じて検査画像の前半の領域の検査画像ＩＰＡに対して、例えば２値化を行う。画像処理部２３Ｂは、設定されたパラメータに応じて検査画像の後半の領域の検査画像ＩＰＢに対して、例えば２値化を行う。このように、１つの検査画像を２つの領域に分割し、各領域の検査画像ＩＰＡ，ＩＰＢの検査処理をそれぞれ画像処理部２３Ａ，２３Ｂにより行うことで、１つの画像処理部において１つの検査画像の全てを検査処理する場合と比べ、検査処理に要する時間が短くなる。このため、高速に搬送される検査対象Ｓに対する検査処理を行うことができるようになる。
【００４７】
また、制御部２５は、画像取込部２１、画像処理部２３Ａ，２３Ｂの温度を監視する。
図５に示すように、制御部２５には、温度センサ４１，４３Ａ，４３Ｂが接続されている。温度センサ４１は、画像取込部２１、画像処理部２３Ａ，２３Ｂに対応する温度センサを含む。画像取込部２１に対応する温度センサ４１は、画像取込部２１に内蔵されたセンサ、又は画像取込部２１の近傍に配置されたセンサである。画像処理部２３Ａ，２３Ｂに対応する温度センサ４３Ａ、４３Ｂは、画像処理部２３Ａ，２３Ｂに内蔵されたセンサ、又は画像処理部２３Ａ，２３Ｂの近傍に配置されたセンサである。制御部２５には、冷却ファン４５Ａ，４５Ｂが接続されている。冷却ファン４５Ａ、４５Ｂは、画像処理部２３Ａ、２３Ｂを冷却するように配置されている。
【００４８】
制御部２５は、温度センサ４１により検出した画像取込部２１の温度に基づいて、画像取込部２１を制御する。例えば、制御部２５は、画像取込部２１の温度に基づいて、画像取込部２１の動作を制御する。例えば、制御部２５には、制御のための制限値が設定されている。制御部２５は、画像取込部２１の温度に基づいて、その温度が制限値を越えた場合、画像取込部２１の動作を停止させ、画像取込部２１の熱破壊を防止する。そして、制御部２５は、その旨を示す信号（例えば、アラーム信号等）を、入出力部２６を介して外部に出力する。
【００４９】
制御部２５は、冷却ファン４５Ａの回転情報を検出し、制限値に基づいて冷却ファン４５Ａに異常が発生しているか否かを判定する。そして、制御部２５は、冷却ファン４５Ａに異常が発生した場合、画像処理部２３Ａの動作を停止させ、画像処理部２３Ａの熱破壊を防止する。そして、制御部２５は、その旨を示す信号（例えば、アラーム信号等）を、入出力部２６を介して外部に出力する。更に、制御部２５は、温度センサ４３Ａにより検出した画像処理部２３Ａの温度に基づいて、画像処理部２３Ａの動作を停止させ、その旨を示す信号を出力する。
【００５０】
同様に、制御部は、冷却ファン４５Ａの回転情報、温度センサ４３Ｂによる画像処理部２３Ｂの温度を検出し、異常の発生時に画像処理部２３Ｂの動作を停止させ、画像処理部２３Ｂの熱破壊を防止する。
【００５１】
以上記述したように、本実施の形態によれば、以下の効果を奏する。
（１）画像検査装置１１は、検査対象Ｓを撮像装置１２にて撮影した画像に基づいて検査対象Ｓを検査する。画像検査装置１１は画像取込部２１、画像処理部２３Ａ，２３Ｂ、メモリ２４Ａ，２４Ｂを有している。画像取込部２１は、撮像装置１２から画像を取り込み、検査対象Ｓに応じた検査画像を出力する。画像処理部２３Ａは、画像取込部２１から出力される検査画像を入力し、その入力した画像を第１の検査画像としてメモリ２４Ａに格納し、入力した画像を出力し、第１の検査画像に基づいて検査対象Ｓを検査する。画像処理部２３Ｂと、画像処理部２３Ａから出力される画像を入力し、その入力した画像を第２の検査画像としてメモリ２４Ｂに格納し、第２の検査画像に基づいて検査対象Ｓを検査する。
【００５２】
このように、画像処理部２３Ａと画像処理部２３Ｂとによって、画像取込部２１にて取り込んだ検査対象Ｓの検査画像に基づいて、検査対象Ｓの検査が行われるため、１つの処理部にて検査を行う場合と比べ、検査の処理に要する時間を短くすることができる。画像取込部２１が画像処理部２３Ａに対して出力する検査画像が、画像処理部２３Ａから画像処理部２３Ｂへと転送される。このため、画像取込部２１が画像処理部２３Ａと画像処理部２３Ｂのそれぞれに検査画像を出力する場合と比べ、画像取込部２１における処理が少なくなり、その分処理に要する時間を短くすることができる。
【００５３】
（２）画像取込部２１は、検査画像を含むデータパケットを画像処理部２３Ａに送信する。画像処理部２３Ａは、受信したデータパケットに含まれる検査画像を取り出した後にデータパケットを画像処理部２３Ｂに転送し、データパケットから取り出した検査画像をメモリ２４Ａに格納する。そして、画像処理部２３Ｂは、受信したデータパケットに含まれる検査画像を取り出し、その取り出した検査画像をメモリ２４Ｂに格納する。
【００５４】
したがって、画像取込部２１は検査画像を含むデータパケットを画像処理部２３Ａに送信し、画像処理部２３Ａは受け取ったデータパケットを転送する。このように、データパケットを利用して検査画像を画像処理部２３Ａと画像処理部２３Ｂとに容易に供給することができる。
【００５５】
（３）制御部２５は、画像取込部２１の温度を検出し、検出結果に基づいて、画像取込部２１の動作を制御する。したがって、例えば温度が上昇した場合に、画像取込部２１を停止させることで、画像取込部２１を保護することができる。
【００５６】
（４）制御部２５は、画像処理部２３Ａ、画像処理部２３Ｂの温度を検出し、検出結果に基づいて、画像処理部２３Ａ、画像処理部２３Ｂの動作を制御する。したがって、例えば温度が上昇した場合に、画像処理部２３Ａ，２３Ｂの動作を停止することで、画像処理部２３Ａ、画像処理部２３Ｂを保護することができる。
【００５７】
（５）制御部２５は、冷却ファン４５Ａ，４５Ｂの回転情報を検出し、検出結果に基づいて、画像処理部２３Ａ、画像処理部２３Ｂの動作を制御する。したがって、例えば冷却ファン４５Ａ，４５Ｂに異常が発生した場合、画像処理部２３Ａ，２３Ｂの動作を停止することで、画像処理部２３Ａ，２３Ｂを保護することができる。
【００５８】
（６）画像取込部２１は、撮像装置１２から取り込んだ画像をシェーディング補正し、補正後の画像は画像処理部２３Ａと画像処理部２３Ｂとに供給される。このため、撮像装置１２の撮像素子の特性、レンズ収差、検査対象Ｓに照射される光の状態等の影響により生じる輝度のばらつきを補正し、輝度むらを抑えることができる。
【００５９】
（７）撮像装置１２は、検査対象Ｓの搬送方向と直交する方向に配列された複数の撮像素子を含むラインカメラである。画像取込部２１は、撮像装置１２から取り込んだ検査画像に基づいて、検査対象Ｓに光を照射する照明装置１３における光量を制御する制御信号を出力する。したがって、画像取込部２１が取り込んだ検査画像に基づいて照明装置１３の光量を制御することで、検査画像に応じた光量に調整することが可能となる。また、照明装置１３の光量を制御する他の装置が不要となり、容易に画像検査システムを構築することができる。
【００６０】
尚、上記各実施の形態は、以下の態様で実施してもよい。
・上記実施形態において、図３に示す画像検査装置１１の構成を適宜変更してもよい。例えば、画像取込部２１、画像処理部２３Ａ，２３Ｂ、制御部２５、メモリ２２，２４Ａ，２４Ｂは、１つの画像処理ユニットとして構成される。この画像処理ユニットは、画像検査装置の筐体に固定されたマザーボードに接続される。マザーボードは複数のスロット（コネクタ）を有し、各スロットにより画像処理ユニットがマザーボードに接続される。たとえば、接続された複数の画像処理ユニットのそれぞれに撮像装置が接続される。この構成の場合、複数の撮像装置によって、幅の広い検査対象に対する検査処理を行うことができる。また、複数の画像処理ユニットに対して１つの撮像装置が接続される。この構成の場合、複数の画像処理ユニットによって検査対象を分割した領域毎に検査処理を行うことで、処理時間の短縮を図ることができ、高速にて搬送される検査対象に対する検査処理を行うことが可能となる。
【００６１】
・上記実施形態に対し、画像検査装置に３つ以上の画像処理部を備えるようにしてもよい。
・上記実施形態に対し、複数の撮像装置を接続し、各撮像装置により撮影した検査対象の画像データに基づいて検査対象の欠陥検査を行うようにしてもよい。
【００６２】
・上記実施形態に対し、複数の照明装置を接続し、検査対象に光を照射するようにしてもよい。
・上記実施形態では、撮像装置１２として、撮像素子が一次元配列されたラインカメラを用いたが、撮像素子が二次元配列されたエリアセンサを用いてもよい。
【００６３】
・上記実施形態では、撮像装置１２と照明装置１３が検査対象Ｓの一方の面（上面）側に配置されている。撮像装置１２は、検査対象Ｓからの反射光を受光して画像データを生成するように示している。これに対し、撮像装置１２と照明装置１３とを検査対象Ｓを挟んで対向するように配置してもよい。この場合、撮像装置１２は、検査対象Ｓを透過した光を受光して画像データを生成する。
【００６４】
・上記実施形態では、検査対象Ｓを連続的に搬送される印刷物や樹脂シート等としたが、枚葉状の印刷物、樹脂シート等としてもよい。また、連続した金属板やガラス板等、枚葉状の金属板やガラス板等としてもよい。
【００６５】
・上記実施形態において、撮像装置１２に含まれる撮像素子の配列方向と直交する方向に沿って検査対象Ｓを撮影することができればよく、検査対象Ｓを固定して撮像装置１２を移動させるようにしてもよい。
【００６６】
・上記実施形態では、制御部２５により画像取込部２１と画像処理部２３Ａ，２３Ｂの動作を制御したが、画像取込部２１の動作制御と画像処理部２３Ａ，２３Ｂの動作制御とを別々の制御部により行うようにしてもよい。また、画像処理部２３Ａの動作制御と画像処理部２３Ｂの動作制御を別々の制御部により行うようにしてもよい。
【００６７】
・上記実施形態では、制御部２５により画像処理部２３Ａ，２３Ｂの温度と冷却ファン４５Ａ，４５Ｂの回転情報を検知して画像処理部２３Ａ，２３Ｂの動作を制御したが、温度検知による動作制御と冷却ファンの回転情報の検知による動作制御とを別々の制御部により行うようにしてもよい。また、画像処理部２３Ａの動作制御と画像処理部２３Ｂの動作制御を別々の制御部により行うようにしてもよい。
【符号の説明】
【００６８】
１１…画像検査装置、１２…撮像装置、１３…照明装置、２１…画像取込部、２３Ａ…画像処理部（第１の処理部）、２３Ｂ…画像処理部（第２の処理部）、２４Ａ，２４Ｂ…メモリ、２５…制御部、４１，４３Ａ，４３Ｂ…温度センサ、４５Ａ…冷却ファン（第１の冷却ファン）、４５Ｂ…冷却ファン（第２の冷却ファン）、Ｓ…検査対象（対象物）。
【図１】
2017151017.tif 000003
【図２】
2017151017.tif 000004
【図３】
2017151017.tif 000005
【図４】
2017151017.tif 000006
【図５】
2017151017.tif 000007
【図６】
2017151017.tif 000008